(57)【要約】      （修正有）【課題】ネジが容易に装着されるとともに破損しにくいＳＡＴＡコネクタ電気コネクタを提供する。【解決手段】ネジが挿入される挿入溝が形成される絶縁性本体１を備える電気コネクタで、挿入溝が互いに重なる第１、第２取付溝を含む。第１取付溝１２１は、ネジと係合可能なネジスレッドが設けられる第１ネジ溝１２１１と、第１ネジ溝に連通する第１開放溝１２１２と、を有する。第２取付溝１２２は、ネジと係合可能なネジスレッドが設けられる第２ネジ溝１２２１と、第２ネジ溝に連通する第２開放溝１２２２と、を有する。第１、第２開放溝の開放方向が対向する。【選択図】図４
2010272526.tif 000002
【特許請求の範囲】
【請求項１】
ネジが挿入される挿入溝が形成される絶縁性本体を備え、
前記挿入溝が、ネジの進入方向において互いに重なる第１取付溝および第２取付溝を含み、
前記第１取付溝は、ネジと係合可能なネジスレッドが半径方向一側に設けられる第１ネジ溝と、前記第１ネジ溝に連通するとともに半径方向他側に解放される第１開放溝と、を有し、
前記第２取付溝は、ネジと係合可能なネジスレッドが前記半径方向他側に設けられる第２ネジ溝と、前記第２ネジ溝に連通するとともに前記半径方向一側に解放される第２開放溝と、を有し、
前記第１、第２開放溝の開放方向が対向することを特徴とする電気コネクタ。
【請求項２】
前記第１取付溝と第２取付溝とは、ネジの半径方向においてそれぞれＵ字状に形成され、前記第１取付溝の第１ネジ溝と第２取付溝の第２ネジ溝とが互いに補償し合い、一つのネジ溝が形成され、前記第１開放溝および第２開放溝とは平滑になることを特徴とする請求項１に記載の電気コネクタ。
【請求項３】
前記絶縁性本体には、ネジの進入方向において前記第２ネジ溝に重なる円形の開口が形成され、前記開口の直径の寸法が、第１ネジ溝および第２ネジ溝の直径の寸法と同一であることを特徴とする請求項１に記載の電気コネクタ。
【請求項４】
前記第２ネジ溝の深さが、第１ネジ溝の深さより小さく、前記開口の深さより大きいことを特徴とする請求項３に記載の電気コネクタ。
【請求項５】
第１取付溝および第２取付溝が形成される絶縁性本体を備え、前記第１取付溝が、絶縁性本体の前表面に向かって開口し、前記第２取付溝が、絶縁性本体の後表面に向かって開口し、前記第１取付溝および第２取付溝には、複数のネジスレッドを具備する第１ネジ溝と第２ネジ溝とが形成され、前記第１ネジ溝と第２ネジ溝とはネジの進入方向において互いに重なって補償し合い、それによって、一つのネジ溝が形成されることを特徴とする電気コネクタ。
【発明の詳細な説明】
【技術分野】
【０００１】
本発明は、電気コネクタに関し、特に、ネジがネジ溝に挿入されるＳＡＴＡ（Ｓｅｒｉａｌ  ＡＴＡ）コネクタに関するものである。
【背景技術】
【０００２】
従来の電気コネクタは、絶縁性本体と、絶縁性本体に固着される複数のネジ部材と、前記ネジ部材と係合する複数のキャップとを備える。絶縁性本体には複数の取付溝が形成される。各取付溝は、ネジの進入方向において重ねられる第１取付溝部と第２取付溝部とを含む。前記第１取付溝部は、弓形の第１半円溝と、第１半円溝に連通する第１開放溝とを含む。前記第２取付溝部は、第１開放溝の上に位置する弓形の第２半円溝と、第１半円溝の上に位置する第２開放溝とを含む。キャップが第２取付溝の第２開放溝から第２半円溝に装入される。ネジ部材は、第１開放溝から第１半円溝に挿入されてキャップに固着される。
【先行技術文献】
【特許文献】
【０００３】
【特許文献１】中国実用新案第２０１１９４２９４Ｙ
【発明の概要】
【発明が解決しようとする課題】
【０００４】
ネジ部材が挿入される前に、キャップが挿入される。キャップの寸法が、第１半円溝の寸法より小さいたらば、キャップが第１半円溝から容易に脱出される。キャップの寸法が、第１半円溝の寸法より大きいたらば、キャップが第１半円溝を破損し易い。
【０００５】
そこで本発明の目的は、ネジが容易に装着されるとともに破損しにくいＳＡＴＡコネクタを提供することにある。
【課題を解決するための手段】
【０００６】
前記目的を達成するために、本発明の電気コネクタは、ネジが挿入される挿入溝が形成される絶縁性本体を備える。前記挿入溝が互いにネジの進入方向において重なる第１、第２取付溝を含む。前記第１取付溝は、ネジと係合可能なネジスレッドが設けられる第１ネジ溝と、前記第１ネジ溝に連通する第１開放溝と、を有する。前記第２取付溝は、ネジと係合可能なネジスレッドが設けられる第２ネジ溝と、前記第２ネジ溝に連通する第２開放溝と、を有する。前記第１、第２開放溝の開放方向が対向する。
【０００７】
前記電気コネクタは、ネジが挿入される挿入溝が形成される絶縁性本体を備え、前記挿入溝が、ネジの進入方向において互いに重なる第１取付溝および第２取付溝を含み、前記第１取付溝は、ネジと係合可能なネジスレッドが半径方向一側に設けられる第１ネジ溝と、前記第１ネジ溝に連通するとともに半径方向他側に解放される第１開放溝と、を有し、前記第２取付溝は、ネジと係合可能なネジスレッドが前記半径方向他側に設けられる第２ネジ溝と、前記第２ネジ溝に連通するとともに前記半径方向一側に解放される第２開放溝と、を有し、前記第１、第２開放溝の開放方向が対向する。
【発明の効果】
【０００８】
従来の技術に比べると、本発明は以下の長所がある。本発明のネジは、第１、第２ネジ溝に容易に挿入され、第１、第２ネジ溝と係合し、破損し難い。
【図面の簡単な説明】
【０００９】
【図１】本発明の電気コネクタの組立斜視図である。
【図２】図１に示す電気コネクタの別の組立斜視図である。
【図３】図２に示す電気コネクタの別の組立斜視図である。
【図４】図１に示す電気コネクタの断面図である。
【図５】図１に示す電気コネクタの俯瞰図である。
【発明を実施するための形態】
【００１０】
図１〜図３に示すように、本発明の電気コネクタ１００はＳｅｒｉａｌ  ＡＴＡコネクタである。電気コネクタ１００は、絶縁性本体１と、絶縁性本体１に収納される複数の導電端子２とを備える。
【００１１】
絶縁性本体１は、主体部１１と、主体部１１の両側に設けられる一対の取付部１２とを有する。主体部１１は、ベース１１０と、ベース１１０から前向きに突出する舌部１１２とを有する。絶縁性本体１には、主体部１１に貫通して導電端子２が挿入される複数の端子溝１１３が形成される。主体部１１には、複数の取付柱１１０１が設けられる。
【００１２】
図４に示すように、各取付部１２には、第１取付溝１２１と、第１取付溝１２１の下に形成される第２取付溝１２２とが形成される。第１取付溝１２１は、半円形の第１ネジ溝１２１１と、前記第１ネジ溝１２１１に連通して取付部１２の前表面に向かって開放する平滑な第１開放溝１２１２とを含む。第１ネジ溝１２１１の内表面には、複数のネジスレッドが設けられる。第１開放溝１２１２の幅は、第１ネジ溝１２１１の直径の寸法と同一である。
【００１３】
第２取付溝１２２は、前記第１開放溝１２１２の下に位置する半円形の第２ネジ溝１２２１と、前記第２ネジ溝１２２１に連通して取付部１２の後表面に向かって開放して第１ネジ溝１２１１の下に位置する平滑な第２開放溝１２２２とを含む。第２ネジ溝１２２１の内表面には、複数のネジスレッドが設けられる。第２開放溝１２２２の幅は、第２ネジ溝１２２１の直径の寸法と同一である。第１取付溝１２１の高度が、第２取付溝１２２の高度より大きい、つまり第１取付溝１２１は、第２取付溝１２２より、本体１の主体部１１に近接して配置されている。
【００１４】
図５に示すように、第１取付溝１２１と第２取付溝１２２がネジの進入方向において互いに重なって、ネジ（図示せず）が挿入される挿入溝が１２３形成される。第１取付溝１２１の第１ネジ溝１２１１と第２取付溝１２２の第２ネジ溝１２２１とは、互いに補償され、一つのネジ溝が形成される。取付部１２の底表面には、挿入溝１２３に対応する開口１２４が形成される。
【００１５】
ネジが前記絶縁性本体１の開口１２４から上向きに前記第２ネジ溝１２２１と前記第１ネジ溝１２１１に挿入され、ネジがは、第２ネジ溝１２２１のネジスレッドと第１ネジ溝１２１１のネジスレッドと係合する。ネジが挿入溝１２３に固着される。前記第２ネジ溝１２２１の深さが、第１ネジ溝１２１１の深さより小さく、前記開口１２４の深さより大きい。
【００１６】
第１取付溝１２１を製造する金型は、第１開放溝１２１２の方向から着脱される。第２取付溝１２２を製造する金型は、第２開放溝１２２２の方向からっ着脱される。それゆえ、金型が、絶縁性本体１から容易に着脱される。
【００１７】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１８】
１００  電気コネクタ
１  絶縁性本体
１１  主体部
１１０  ベース
１１０１  取付柱
１１２  舌部
１１３  端子溝
１２  取付部
１２１  第１取付溝
１２１１  第１ネジ溝
１２１２  第１開放溝
１２２  第２取付溝
１２２１  第２ネジ溝
１２２２  第２開放溝
１２３  挿入溝
１２４  開口
【図１】
2010272526.tif 000003
【図２】
2010272526.tif 000004
【図３】
2010272526.tif 000005
【図４】
2010272526.tif 000006
【図５】
2010272526.tif 000007